(57)【要約】  装着する人の肌を傷つけることがないとともに、着脱動作が容易にできる装飾品を提供する。【解決手段】  本考案の装飾品は、軟質な材料で形成された装飾品本体（１０）と、この装飾品本体（１０）の一方の側に、前記装飾品本体の長手方向に複数個並設され、環状の周縁部を形成する環状凸部（２４）と、この環状凸部（３０）と略同一中心線上に設けられる係合穴とからなる係合穴部（２０）と、前記装飾品本体（１０）の他方の側に形成され、前記係合穴部（２０）に挿入可能な係合軸を備えた係合軸部（３０）とからなり、前記係合穴部（２０）と前記係合軸部（３０）とを係合させることで身体に装着できるようにした装飾品であって、前記環状凸部（２４）の内部に空間部（４０）を形成し、前記空間部に前記係合軸部を挿入することにより係合動作を容易にしたことを特徴としている。【選択図】  図１
0003104061.tif 000002
【実用新案登録請求の範囲】
【請求項１】
軟質な材料で形成された装飾品本体（１０）と、
この装飾品本体の一方の側に、前記装飾品本体の長手方向に複数個並設され、環状の周縁部を形成する環状凸部（２４）と、この環状凸部と略同一中心線上に設けられる穴部とからなる係合穴部（２０）と、
前記装飾品本体の他方の側に形成され、前記穴部に挿入可能な係合軸を備えた係合軸部（３０）とからなり、前記係合穴部（２０）と前記係合軸部（３０）とを係合させることで身体に装着可能にした装飾品であって、
装着する人の肌側に前記環状凸部（３４）を設け、この環状凸部（３４）の内部に空間部（４０）を形成し、
前記係合軸部（３０）が前記係合穴部（２０）に挿入されるとき、装着する人に前記係合軸部（３０）が当たることなく係合動作が行えるようにしたことを特徴とする装飾品。
【請求項２】
請求項１に記載された装飾品であって、
前記係合穴部（２０）は、略同軸で第１の穴（２１）と、この第１の穴（２１）より小径の第２の穴（２２）とからなり、
前記係合軸部（３０）は、略同軸で前記第２の穴に挿入可能な軸部（３２）と、この軸部（３２）の先端側に前記軸部（３２）より大径の頭部（３３）とからなり、
前記頭部（３３）が弾性変形して前記第１の穴（２１）を通過し、係合状態となるようにしたことを特徴とする装飾品。
【請求項３】
請求項１又は２に記載された装飾品であって、
前記装飾品本体には、前記係合軸部が突出した面の反対側の面に凸状に形成された押圧部（３５）が形成されていることを特徴とする装飾品。
【請求項４】
請求項３に記載された装飾品であって、
前記係合軸部（３０）は、前記装飾品本体の長手方向に複数個形成されており、
前記係合軸部（３０）と前記係合穴部（２０）とが少なくとも２箇所で係合するようになっていることを特徴とする装飾品。
【請求項５】
請求項４に記載された装飾品であって、
前記装飾品は、手首にはめるブレスレットであり、
前記装飾品本体は、ブレスレット本体であることを特徴とする装飾品。
【考案の詳細な説明】
【技術分野】
【０００１】
本考案は、身体に着脱する機能を備えた装飾品に関し、特に、装着時等に装着する人の肌を傷つけることがなく、着脱動作が簡単な操作で、かつ、容易に行うことができる装飾品に関する。
【背景技術】
【０００２】
装飾品は、身体につけ装飾するものであり、ネックレス、ブレスレット等いろいろなものがある。
ブレスレットは、腕の手首等にはめて装飾する装飾品である。ブレスレットには、宝石、貴金属類をつけたもの、美的デザイン化された輪（リング）状のものなどがある。また、健康用品の一つとして磁力、マイナスイオンや遠赤外線等を放出させるためのものもある。
【０００３】
ブレスレットは、各自サイズの異なる手首にフィットさせるための位置調整可能な固定機能を有しているものが多い。しかし、ブレスレットは手首にはめるため、はめないほうの片手で着脱動作を行う必要がある。そのため、他の装飾品に比べて着脱動作がしにくい。そこでいろいろな提案がなされている。
【０００４】
ベルトのバックルのような連結金具を有しベルト状の部材をつなげるものがあった（例えば、特許文献１）。また、磁力を利用して連結するものもあった（例えば、特許文献２、３）。帯状部材の幅より小さい先端部を帯状部材の開口部に挿入して連結するものもあった。（例えば、特許文献４）。さらに、ブレスレットではないが、バンドの係合穴にきのこ状の突出部を挿入して固定するものもあった（例えば、特許文献５）。
【特許文献１】実用新案登録第３０９４４９０号公報
【特許文献２】特開平１０−１７９２１９号公報
【特許文献３】実用新案登録第３０９６６８６号公報
【特許文献４】実用新案登録第３０６８４９１号公報
【特許文献５】特開２００２−２６２９１１号公報
【考案の開示】
【考案が解決しようとする課題】
【０００５】
しかしながら、特許文献１や特許文献４に示された技術は、片手でブレスレットを手首にはめたり、はずしたりする動作が容易でなく面倒であるという問題点があった。すなわち、簡単な操作で着脱が行えるものでなかった。また、磁力を利用したものは日常の生活動作時に外れてしまうおそれがある。そのため、特許文献２のような磁力とねじり動作との組み合わせ、特許文献３のような磁力と凹凸構造との組み合わせなどの工夫がされているが、簡単な操作でブレスレットの着脱を行うという課題を解決するものでなかった。また、このように、構成を複雑にすると、ブレスレットが重くなるという新たな問題点を生じた。さらに、特許文献５に示された技術は、きのこ状の突出部をバンドの貫通係合穴に挿入、固定するとき、装着する人の肌に突出部が当たり、肌に反発され挿入しにくいこと、挿入した後突出部が直接肌に当たることがあるため肌ざわりがよくないこと、突出部を外す操作がしにくい等の問題点があった。また、ゴム状のリングをブレスレットとして使用することもあるが、耐久性等に問題を生じる。
【０００６】
一方、ブレスレットには、非常に高価な宝石等を備えたものでなくてもよいので、デザイン、美的センスが優れたもの、自分自身が気に入ったデザインのもの等を日々交換しながら楽しみたいという要求を持つ人もいる。そのためには、このようなブレスレットはあまり高価でなくほどほどの価格である必要がある。さらに、ブレスレットは、常時、肌に直接触れているものであるため、金属性のものでは、金属アレルギー等を発症する人もおり、材質等にたいへん注意が必要であった。また、日常はめているものであるので、はめている状態でほとんど違和感、重さ等を感じることがないようなもの、長期装着時にも擦過傷を防止することができるものが求められている。また、ブレスレットは出掛けの忙しい中、装着しなければならないこともあり簡単に着脱できるとともに、装着後は日常の生活動作等で外れないことが望まれている。
【０００７】
本考案は、このような社会的、技術的背景に基づいてなされたものであり、次のような目的を達成する。本考案の目的は、軟質素材で作成して肌をいためないとともに、着脱が容易なブレスレットを提供することにある。
【課題を解決するための手段】
【０００８】
本考案１の装飾品は、軟質な材料で形成された装飾品本体と、この装飾品本体の一方の側に、前記装飾品本体の長手方向に複数個並設され、環状の周縁部を形成する環状凸部と、この環状凸部と略同一中心線上に設けられる穴部とからなる係合穴部と、前記装飾品本体の一方の側に形成され、前記穴部に挿入可能な係合軸を備えた係合軸部とからなり、前記係合穴部と前記係合軸部とを係合させることで身体に装着できるようにした装飾品であって、装着する人の肌側に前記環状凸部を設け、この環状凸部の内部に空間部を形成し、前記係合軸部が前記係合穴部に挿入されるとき、装着する人に前記係合軸部が当たることなく係合動作が行えるようにしたことを特徴としている。
【０００９】
本考案２の装飾品は、本考案１において、
前記係合穴部は、略同軸で第１の穴と、この第１の穴より小径の第２の穴とからなり、前記係合軸部は、略同軸で前記第２の穴に挿入可能な軸部と、この軸部の先端側に前記軸部より大径の頭部とからなり、前記頭部が弾性変形して前記第１の穴を通過し、係合状態となるようにしたことを特徴としている。
【００１０】
本考案３の装飾品は、本考案１又は２において、
前記装飾品本体には、前記係合軸部が突出した面の反対側の面に凸状に形成された押圧部が形成されていることを特徴としている。
【００１１】
本考案４の装飾品は、本考案３において、
前記係合軸部は、前記装飾品本体の長手方向に複数個形成されており、前記係合軸部と前記係合穴部とが少なくとも２箇所で係合するようになっていることを特徴としている。
【００１２】
本考案５の装飾品は、本考案４において、
前記装飾品は、手首にはめるブレスレットであり、前記装飾品本体は、ブレスレット本体であることを特徴としている。
【考案の効果】
【００１３】
係合機能部分を含む装飾品（ブレスレット）全体が軟質素材でできており、係合動作、取り外し動作が容易であるとともに、装着する人の肌を傷つけることがない。また、係合穴部側に環状凹部を形成し内部を空間部とすることができるため、装着時に、係合軸部は空間部に挿入されることになり、装着時に装着する人の肌に当たって肌側から反発されることがなく装着動作が容易にできる。また、係合穴部に係合軸部を係合・離脱させるだけの簡単な操作で着脱動作を行うことができる。
さらに、複数の係合部に係合させて装着するため、装着時等にずれたり外れたりすることがない。また、係合軸の反対側の面に押圧部を形成したため、押圧位置がずれることがなく押圧動作が容易である。
【００１４】
軟質の合成樹脂等で形成することにより、大量に生産することも可能であり、美的デザインに優れた装飾品が安価で提供することができる。さらに、健康用品等にも活用することができ、金属アレルギーを発症させる心配もない。
【考案を実施するための最良の形態】
【００１５】
本考案の実施の形態を図面に基づいて詳細に説明する。図１は、本考案を適用したブレスレット（腕輪）１の正面図、図２は、ブレスレット１の平面図、図３は、図１をＡ−Ａ線で矢視した断面の拡大図、図４は、図１をＢ−Ｂ線で矢視した断面の拡大図、図５は、ブレスレット１を係合させた状態を示す説明図である。
【００１６】
なお、この実施の形態では、装飾品のうち、片手で行うことから着脱動作のしにくいブレスレットで説明を行うが、着脱動作を行う他の装飾品であってもよいことはいうまでもない。
【００１７】
図１および２に示すように、ブレスレット１は、ブレスレット本体１０、係合穴部２０、係合軸部３０とから構成されている。
ブレスレット本体１０は、軟質なシリコン樹脂、合成樹脂（例えば、熱可塑性エラストマ等）等で形成されている。なお、この実施の形態では、シリコン樹脂で説明を行うが、軟質の材料で弾性変形可能なものであればよい。横長のブレスレット本体１０の一方の側に複数（この実施の形態では５個）の係合穴部２０が一体に形成されている。係合穴部２０は、ブレスレット本体１０の長手方向に寸法Ｌの間隔を有して並設されている。ブレスレット本体１０の他方の側には、複数（この実施の形態では２個）の係合軸部３０が一体に形成されている。係合軸部３０も、ブレスレット本体１０の長手方向に寸法Ｌの間隔を有して並設されている。ブレスレット本体１０の表面側の中央部には、この製品、製造元、販売元等のロゴ、飾り等美的、デザイン的に優れたデザイン部１１が形成されている。
このデザイン部１１は、所定の色彩で美的効果をもたせたものであってもよい。
【００１８】
図４に従って、係合穴部２０の説明を行う。ブレスレット本体１０に環状凸部２４が一体に形成されている。そして、環状凸部２４とブレスレット本体１０とに跨って、第１の穴２１と、この第１の穴２１より小径の第２の穴２２が同一中心線上又は略同一中心線上に形成されている。環状凸部２４は第１の穴２１の周縁部を構成するものでもある。また、環状凸部２４の内部が空間部４０を形成する。第１の穴２１と第２の穴２２との間には穴側端面部２３が形成されている。穴側端面部２３は、断面視で所定の角度、所定の寸法の傾斜、円弧又は方物線等の面に形成されていることが好ましい。環状凸部２４はブレスレット本体１０の裏面（デザイン部１１の反対側の面）側に形成されている。
【００１９】
図３に従って、係合軸部３０の説明を行う。ブレスレット本体１０の裏面側にきのこ状の係合部が一体に形成されている。係合部は、軸部３２と軸部３２より大径の頭部３３とからなっている。軸部３２と頭部３３とは、同軸又は略同軸に形成されている。頭部３３と軸部３２との間には、軸側端面部３４が形成されている。また、頭部３３の先端側には、断面視で傾斜面又は円弧面に形成された傾斜部３３ａが形成されている。すなわち、係合軸部３０は、所定の力以上で係合穴部２０に押圧されると、頭部３３が第２の穴２２内を弾性変形しながら通過し、第１の穴２１内に挿入、係合される。そして、係合状態になると、穴側端面部２３に、軸側端面部３４が係合して両者の係合状態が維持される。また、係合軸部３０は２つ形成されており、同時に、２箇所で係合するため、装着時又は装着状態時にずれを生じたり、簡単に外れたりすることがない。
【００２０】
ブレスレット本体１０の係合軸部３０に対応する表面には、押圧部３５が形成されている。すなわち、裏面側を確認することなく、押圧部３５を押圧すれば係合軸部３０をまっすぐに押圧することができ、押圧動作が容易である。
【００２１】
環状凸部２４で形成される内部は空間部４０（図５参照）を形成している。すなわち、係合軸部３０を係合穴部２０に装着（挿入）したときに、ブレスレット本体１０が巻かれた手首の肌に係合軸部３０が当たることがない。すなわち、肌側から反発されて係合軸部３０の挿入がしにくいということがない。
【００２２】
ブレスレット１を手首に装着する動作の説明を行う。
ブレスレット１を手首に巻き、手首のサイズにあった係合位置を確認する。この状態で、係合軸部３０の頭部３３を係合穴部２０の第２の穴２２にあわせて押圧部３５を押圧する。頭部３３の傾斜部３３ａと第２の穴２２が当接し、所定以上の力に達すると、頭部３３が弾性変形して第２の穴２２を通過する。頭部３３が第１の穴２１に達すると、係合軸部３０と係合穴部２０とが係合・固定された状態となる（図５参照）。また、ブレスレット１を手首から取り外す場合には、係合軸部２０側のブレスレット本体１０を、係合穴部２０側のブレスレット本体１０から引き離すようにすると、頭部３３の軸側端面３４と、穴側端面２３とが当接し、所定以上の力に達すると、頭部３３が弾性変形して第２の穴２２を通過する。係合穴部２０と係合軸部３０とが離脱するので、ブレスレット１を手首から取り外すことができる。
【００２３】
なお、前記した説明では、係合軸部が弾性変形するとして説明を行ったが、係合穴部側が弾性変形するものであってもよい。また、係合穴部は、ブレスレット本体に一つ又は複数の切れ目を形成したものであって、係合軸部を通過可能としたものであってもよい。すなわち、係合軸部と係合穴部とが、環状凸部で形成された空間部内で係脱可能な構成のものであればよい。
また、ブレスレットは、磁力、マイナスイオン、遠赤外線等を放出させる健康用品の機能をもたせたものであってもよい。この健康用品の機能をもたせたブレスレットでも、美的センス、デザイン性に優れたもの、装飾性に優れたものであるほうが好ましい。
【図面の簡単な説明】
【００２４】
【図１】図１は、本考案を適用したブレスレット（腕輪）の正面図である。
【図２】図２は、ブレスレットの平面図である。
【図３】図３は、図１をＡ−Ａ線で矢視した断面の拡大図である。
【図４】図４は、図１をＢ−Ｂ線で矢視した断面の拡大図である。
【図５】図５は、ブレスレットの係合軸部と係合穴部とを係合させた状態を示す断面の拡大図である。
【符号の説明】
【００２５】
１…装飾品、ブレスレット
１０…ブレスレット本体（装飾品本体）
１１…デザイン部
２０…係合穴部
２１…第１の穴部
２２…第２の穴部
２３…穴側端面部
２４…環状凸部
３０…係合軸部
３２…軸部
３３…頭部
３４…軸側端面部
３５…押圧部
４０…空間部
【図１】
0003104061.tif 000003
【図２】
0003104061.tif 000004
【図３】
0003104061.tif 000005
【図４】
0003104061.tif 000006
【図５】
0003104061.tif 000007